(57)【要約】      （修正有）【課題】  投光器等の機器を支柱に取り付けたまま、手軽に簡便に上の階に移動可能な機器取付け装置を提供する。【解決手段】  機器を取付け可能な外パイプの内側に内パイプをスライド可能に挿入し、外パイプの上部に取付けた外パイプ滑車の上に引き上げワイヤを折り返して掛け、引き上げワイヤの上端側を内パイプに係止し、下端側を内パイプの下方に引き出すことにより、外パイプを外部支持体に固定して引き上げワイヤを引き下げると、内パイプが外パイプに沿って引き上げられるようにし、内パイプの上部に取付けた内パイプ滑車の上に押し上げワイヤを折り返して掛け、押し上げワイヤの上端側を外パイプに係止し、下端側を内パイプの内側を通って内パイプの下方に引き出すことにより、内パイプを外部支持体に固定して押し上げワイヤを引き下げると、外パイプが内パイプに沿って押し上げられるようにした。【選択図】      図１
2005035762.tif 000002
【特許請求の範囲】
【請求項１】
機器を取付け可能な外パイプの内側に内パイプをスライド可能に挿入し、外パイプの上部に外パイプ滑車を取付け、その外パイプ滑車の上に引き上げワイヤを折り返して掛け、その引き上げワイヤの上端側を内パイプに係止し下端側を内パイプの内側を通して内パイプの下方に引き出して、引き上げワイヤを引き下げると内パイプが外パイプに沿って引き上げられるようにし、内パイプの上部に内パイプ滑車を取付け、内パイプ滑車の上部に押し上げワイヤを折り返して掛け、その押し上げ用ワイヤの上端側を内パイプの外側を通して外パイプに係止し、下端側を内パイプの内側を通して内パイプの下方に引き出して、押し上げワイヤを引き下げると外パイプが内パイプに沿って押し上げられるようにしたことを特徴とする機器取付け装置。
【請求項２】
請求項１記載の機器取付け装置において、外パイプの内周面と内パイプの外周面との双方またはいずれか一方に、押し上げワイヤの上端側を通すワイヤ溝が形成されたことを特徴とする機器取付け装置。
【発明の詳細な説明】
【技術分野】
【０００１】
本発明は工事現場を照らすための投光器をはじめとして、各種機器を取付けることができる機器取付け装置に関するものである。
【背景技術】
【０００２】
ビル、マンション等（建築物）の工事現場には、通常は、作業現場を照らすための投光器が取付けられている。通常、投光器は工事中の階に立てた支柱とか、工事階の建築物の柱に取付けたりしている。建築物は下層階から上層階に順次増設されていく。下層階から上層階に移る場合、投光器も移動させる必要がある。
【０００３】
投光器を移動させるには、作業員が、支柱に取り付けられている投光器を支柱ごと担いで上の階に運んだり、投光器を建物の柱や支柱から取り外して、投光器と支柱とを別々に上の階に運んだりしている。
【発明の開示】
【発明が解決しようとする課題】
【０００４】
前記のようにして投光器を運ぶためには、投光器を建物の柱や支柱から取り外す面倒があり、また、担いで上の階に運ばなければならないという重労働もある。大きな建築物になると、１階に多数個の投光器が設置されているため、それを上の階に運ぶのは大変な作業である。
【課題を解決するための手段】
【０００５】
本発明は前記した各種課題を解決でき、投光器とか、他の機器を支柱に取り付けたま、支柱ごと、手軽に、簡易に、上の階に移動可能な機器取付け装置を提供するものである。
【０００６】
請求項１記載の機器取付け装置は、機器を取付け可能な外パイプの内側に内パイプをスライド可能に挿入し、外パイプの上部に外パイプ滑車を取付け、その外パイプ滑車の上に引き上げワイヤを折り返して掛け、その引き上げワイヤの上端側を内パイプに係止し下端側を内パイプの内側を通して内パイプの下方に引き出して、引き上げワイヤを引き下げると内パイプが外パイプに沿って引き上げられるようにし、内パイプの上部に内パイプ滑車を取付け、内パイプ滑車の上部に押し上げワイヤを折り返して掛け、その押し上げ用ワイヤの上端側を内パイプの外側を通して外パイプに係止し、下端側を内パイプの内側を通して内パイプの下方に引き出して、押し上げワイヤを引き下げると外パイプが内パイプに沿って押し上げられるようにしたものである。
【０００７】
請求項２記載の機器取付け装置は、請求項１記載の機器取付け装置において、外パイプの内周面と内パイプの外周面との双方またはいずれか一方に、押し上げワイヤの上端側を通すワイヤ溝が形成されたものである。
【発明の効果】
【０００８】
請求項１の機器取付け装置は、機器を外パイプから一々取り外さなくとも、パイプに取り付けたままで、内パイプを工事現場の足場などに固定し、押し上げワイヤを引き下げれば外パイプが内パイプに沿って押し上げられ、外パイプを工事現場の足場などに固定して引き上げワイヤを引き下げれば内パイプが外パイプに沿って引き上げられるので、内パイプを固定しての押し上げワイヤの引き下げと、外パイプを固定しての引き上げワイヤの引き下げとを交互に行なえば、外パイプと内パイプとが交互に上昇する。その繰り返しにより外パイプと内パイプを下の階から上の階まで自動的に移動させることができ、外パイプに取付けられている機器も下の階から上の階まで自動的に移動させることができるため、作業員が機器を担いで上の階に担ぎ上げる必要がない。また、機器取付け台から機器を取り外す面倒や手間も不要となる。このため、手軽、迅速、容易に支柱及び機器を上の階に移動することができる。
【０００９】
請求項２の機器取付け装置は、請求項１記載の機器取付け装置において、内パイプの外周面と外パイプの内周面との双方またはいずれか一方に、押し上げワイヤの上端側を通すワイヤ溝が形成されているので、そのワイヤ溝に押し上げワイヤを通せば、押し上げワイヤは内パイプと外パイプとの間に挟まれたり、詰まったりすることがない。このため押し上げワイヤの移動がスムースになる。また、押し上げワイヤが外パイプの外側に飛び出ることもなく、外観がすっきりして体裁が良く、コンパクトに纏めることもできる。
【発明を実施するための最良の形態】
【００１０】
（実施例１）
本発明の機器取付け装置の一実施例を図１〜図３に基づいて説明する。この実施例はビル建築現場を照明するための投光器を搭載できるようにしたものであり、図１（ａ）（ｂ）に示すように、外パイプ１の内側に内パイプ２をスライド可能に挿入して支柱３としてある。外パイプ１と内パイプ２の太さ、長さ、材質等は用途に合わせて選択することができる。例えば、外パイプ２の太さはφ４８．６ｍｍ、内パイプ１の太さはφ４２ｍｍ程度が適し、長さは図３のように外パイプ１を内パイプ２の上端まで押し上げたときに、内パイプ２の下端から外パイプ１の上端までで３〜４ｍ程度（各階の高さ分程度）が適する。外パイプ１、内パイプ２の材質は強度と重量の面からアルミ製、ステンレス製、他の金属製、硬質樹脂製といったものを使用することができる。
【００１１】
図２に示すように、回転止め溝４が外パイプ１の内周面二箇所に外パイプ１の軸方向に沿って形成され、回転止め突起５が内パイプ２の外周面二箇所に内パイプ２の軸方向に沿って突設され、回転止め溝４に回転止め突起５を嵌入させて内パイプ２が外パイプ１の内側で回転しないようにしてある。外パイプ１の内周面にはその軸方向に、押し上げ用ワイヤの上端側を通すワイヤ溝６が二本形成されている。ワイヤ溝６は一本でもよく、また、内パイプ２の外周面に形成してもよい。
【００１２】
図１（ａ）（ｂ）のように、外パイプ１の上面には機器取付け台７を設けてある。機器取付け台７は投光器とか他の機器４０を搭載可能なサイズ、形状、強度にしてある。
【００１３】
内パイプ２の下端部外周には外パイプ１と同径の補助パイプ８を固定してある。補助パイプ８は図３のように、内パイプ２の補強と足場パイプに既存のクランプで固定するためのものである。ちなみに、外パイプ１が足場パイプと同径の場合、それに挿入する内パイプ２は当然に外パイプ１よりも細くなる。通常、足場パイプ同士を固定するための既存のクランプは外パイプ１の外径に合わせて作られていて、外パイプ１の外周に被せて固定できるようにしてあるため、外パイプ１よりも細い内パイプ２の外周に被せるとクランプが緩んで固定することができない。この実施例では、それを解消して内パイプ２を足場パイプに固定できるようにするため内パイプ２の外周に補助パイプ８を被せて固定してある。補助パイプ８は内パイプ２の補強にもなる。補助パイプ８の長さは数十ｃｍ〜１ｍ前後程度が適し、内パイプ２に溶接とか他の手段で固定される。この実施例では、図１（ａ）〜（ｃ）のように、内パイプ１の下端及び補助パイプ８の下端に底板９をビス止めすることにより、補助パイプ８を内パイプ２に固定してある。底板９には二つの引き出し孔１０が開口されている。
【００１４】
内パイプ２の上板１１の中心部にはワイヤ通し孔１２が開口され、上板１１の外面でワイヤ通し孔１２の外側に内パイプ滑車１３と引き上げワイヤ止め具１７が取付けられている。外パイプ１の天井板１５の内面には外パイプ滑車１６が取付けられ、外パイプ１の下端寄り外周面には押し上げワイヤ止め具１４が取付けられている。
【００１５】
内パイプ滑車１３の上には押し上げワイヤ２０を折り返して掛け、押し上げワイヤ２０の上端側２１を内パイプ２の外側（外パイプ１のワイヤ溝５内）を通して引き下げ、外パイプ１の下端から外側に引き出して押し上げワイヤ止め具１４に係止してある。押し上げワイヤ２０の下端側２２はワイヤ通し孔１２を通し、内パイプ２内を通し、底板８のいずれか一方の引き出し孔１０を通して内パイプ２の下方に引き出してある。この構成とすることにより、図３のように、内パイプ２を足場パイプのような外部支持体２３にクランプ等の固定具２４で固定し、内パイプ２の下方に引き出されている押し上げワイヤ２０の下端側２２を引き下げると、外パイプ１が内パイプ２に沿って押し上げられるようにしてある。
【００１６】
外パイプ滑車１６の上には引き上げワイヤ３０を折り返して掛け、引き上げワイヤ３０の上端側３１を外パイプ２の内側を通して引き上げワイヤ止め具１７に係止し、引き上げワイヤ３０の下端側３２はワイヤ通し孔１２を通し、内パイプ２内を通し、底板９の他方の引き出し孔１０を通して内パイプ２の下方に引き出してある。この構成とすることにより、図３のように、外パイプ１を建築物の柱などの外部支持体２３にクランプ等の固定具２４で固定し、内パイプ２の下方に突出している引き上げワイヤ３０の下端側３２を引き下げると、内パイプ２が外パイプ１に沿って引き上げられるようにしてある。
【００１７】
（使用例）
図１〜３に示した実施例の機器取付け装置を使用するには例えば次のようにする。
図３（ａ）のように内パイプ２を外パイプ１から引き出した状態（支柱３を伸ばした状態）で支柱３を建築中の建物の階の床に立てる。この場合、外パイプ１の上部と補助パイプ８とをクランプ等の固定具２４により工事現場の足場パイプとか他のポールといった外部支持体２３に固定する。この状態で機器取付け台７に搭載してある投光器４０から投光して工事現場を照明することができる。
【００１８】
機器取り付け台７に搭載されている投光器４０を、これまで投光していた階の上の階（例えば１階から２階）に移動するには次のようにする。
１．図３（ａ）のように外パイプ１を外部支持体２３に固定したままにしておき、補助パイプ８を固定していた固定具２４を外して外部支持体２３への補助パイプ８の固定を解除して、内パイプ２をフリー（外パイプ１内をスライド可能）の状態にする。
２．前記１の後、図１（ａ）のように底板９の一方の引き出し孔１０から下方に引き出されている引き上げワイヤ３０の下端側３２を引き下げて、内パイプ２を外パイプ１に沿って図３（ｂ）のように引き上げる。この状態で補助パイプ８を外部支持体２３に固定する。
３．前記２の後、図３（ｃ）のように外パイプ１を外部支持体２３の固定から解除する。その後、底板９の他方の引き出し孔１０から下方に引き出されている押し上げワイヤ２０の下端側２２を引き下げて、外パイプ１を内パイプ２に沿って押し上げる。この状態で外パイプ１を外部支持体２３に固定する。
４．前記１〜３の操作により、外パイプ１及び内パイプ２が（支柱３が）１ステップだけ上昇する。この１ステップの上昇が１階分（例えば１階から２階へ）の上昇長であれば、外パイプ１及び内パイプ２が上の階に（例えば１階から２階に）引き上げられたことになる。１ステップの上昇が１階分の上昇長よりも少ない場合は、前記１〜３の操作を所望回数（例えば１階から２階に上がるまで）繰り返して、支柱３を上の階に引き上げる。この引き上げ時に機器４０は機器取り付け台７に取り付けたままにしておくことができる。
【００１９】
（実施例２）
本発明の実施例２を図４に示す。図４の機器取付け装置は内パイプ滑車１３、外パイプ滑車１６の取り付け向きを９０度ずらしたものである。このように９０度向きをずらことにより、押し上げワイヤ２０と引き上げワイヤ３０とが打ちパイプ２内で絡まりにくくなり、両ワイヤの操作がスムースになる。
【００２０】
（実施例３）
本発明の機器取付け装置は、内パイプ滑車１３、外パイプ滑車１６は動滑車方式にすることもできる。動滑車方式にすれば外パイプ１、内パイプ２を図１の場合と同じ距離だけ移動させる場合、図１の場合よりも押し上げワイヤ２０、引き上げワイヤ３０の移動距離は長くなるが、半分の力で操作することができるため、力の弱い年配者や女性でも操作可能となる。
【産業上の利用可能性】
【００２１】
本発明の機器取付け装置は投光器以外の機器、例えば、建築に使用される工具、材料などの引き上げに利用することもできる。
【図面の簡単な説明】
【００２２】
【図１】（ａ）は本発明の機器取付け装置のうち内パイプを外パイプ内に引き込んだ状態の側面断面図、（ｂ）は本発明の機器取付け装置のうち外パイプを押し上げた状態の側面断面図。
【図２】本発明の機器取付け装置における内パイプを外パイプ内に挿入した状態の平面図。
【図３】（ａ）は本発明の機器取付け装置の外パイプを内パイプの上方に押し上げて外部支持体に取り付けた状態の側面図、（ｂ）は内パイプを外パイプ内に引き込んだ状態で外部支持体に取り付けた状態の側面図、（ｃ）は（ｂ）の状態から外パイプを上方に引き上げて外部支持体に取り付けた状態の側面図。
【図４】本発明の機器取付け装置において、滑車の取り付け状態を変えた実施例の側面説明図。
【符号の説明】
【００２３】
１  外パイプ
２  内パイプ
３  支柱
４  回転止め溝
５  回転止め突起
６  ワイヤ溝
７  機器取付け台
８  補助パイプ
９  底板
１０  引き出し孔
１１  内パイプの上板
１２  ワイヤ通し孔
１３  内パイプ滑車
１４  押し上げワイヤ止め具
１５  外パイプの天井板
１６  外パイプ滑車
１７  引き上げワイヤ止め具
２０  押し上げワイヤ
２１  押し上げワイヤの上端側
２２  押し上げワイヤの下端側
２３  外部支持体
２４  固定具
３０  引き上げワイヤ
３１  引き上げワイヤの上端側
３２  引き上げワイヤの下端側
【図１】
2005035762.tif 000003
【図２】
2005035762.tif 000004
【図３】
2005035762.tif 000005
【図４】
2005035762.tif 000006